(57)【要約】      （修正有）【課題】全身に対する腱伸ばしの効果が得られる腱伸ばし式運動器材構造を提供する。【解決手段】固定フレーム１０と座りパッド、背中角度調整スタンド及び伸縮足置きセットが含有され、固定フレームは下方にレール１１が設けられ、当該レール上にストッパー１２が設けられ、上方の両側に手摺り１３があり、座りパッド２０がやや二つの手摺りの中間に位置するように、固定フレームに結合され、背中角度調整スタンド３０は座りパッドの後方に設置され、座りパッドの後方において、角度を変化することができ、伸縮足置きセットは固定フレームのレール上に位置するレールがあり、前方に足位置付け部５２が設けられ、また、伸縮足置きセット５０の底部に滑車５３が設けられ、そして、足位置付け部に海綿状プラスチック層５４が覆われ、背中角度調整スタンドにより座り角度を調整して、背中が後へ仰ぐ伸展機能が得られ、また、足首部が足位置付け部に位置付けられる。【選択図】図１
0003120463.tif 000002
【実用新案登録請求の範囲】
【請求項１】
少なくとも、固定フレームと座りパッド、背中角度調整スタンド及び伸縮足置きセットが含有され、座りパッドが固定フレームに結合され、背中角度調整スタンドが座りパッドの後方に設置され、また、座りパッドの後方において、角度を変化できる腱伸ばし式運動器材構造において、
固定フレームの下方に、レールが設けられ、レールの上に、ストッパーが設けられ、伸縮足置きセットに、固定フレームのレールに合わせるレールがあり、前方に、足位置付け部が設けられ、
上記の構造により、伸縮足置きセットが、レールにより、固定フレームの前方において伸縮調整できるように、固定フレームのレールに結合され、また、希望の位置に調整された後、ストッパーで固定できる、
ことを特徴とする腱伸ばし式運動器材構造。
【請求項２】
固定フレームと背中角度調整スタンドとの間に、背中角度調整スタンドを制御して角度を変化できる座り角度制御器が設けられることを特徴とする請求項１に記載の腱伸ばし式運動器材構造。
【請求項３】
固定フレームの上方において、両側に手摺りが設けられることを特徴とする請求項１に記載の腱伸ばし式運動器材構造。
【請求項４】
伸縮足置きセットの底部に、滑車が設けられることを特徴とする請求項１に記載の腱伸ばし式運動器材構造。
【請求項５】
伸縮足置きセットの足位置付け部に、海綿状プラスチック層が覆われることを特徴とする請求項１に記載の腱伸ばし式運動器材構造。
【請求項６】
伸縮足置きセットの足位置付け部は、冂形状に設置されることを特徴とする請求項１に記載の腱伸ばし式運動器材構造。
【請求項７】
伸縮足置きセットの足位置付け部は、Ｔ形状に設置されることを特徴とする請求項１に記載の腱伸ばし式運動器材構造。
【考案の詳細な説明】
【技術分野】
【０００１】
本考案は、健身運動である腱伸ばしに使用される「腱伸ばし式運動器材構造」に関し、特に、全身に対する腱伸ばしの効果が得られるものに関する。
【背景技術】
【０００２】
都会で生活する忙しいサラリーマンは、運動に利用できる時間が少なくなり、また、暇の時間が、往々として深夜にあり、夜間で、視野が良くないため、運動に不適で、また、危険性が潜在し、そのため、運動しようとすれば、運動器材を利用し、時間や空間に制限されず、室内で運動ができ、そして、怪我人や病者が、戸外で運動できないため、所定の機能を有する運動器材により、体の機能を、正常の状態に保持する場合、腱伸ばし運動器材が、非常に適当な補助器材である。
【０００３】
既存の一般の腱伸ばし機能を有する運動器材は、構造が非常に簡単で、図６の立体図のように、縦棒６０の上方に、後ろの下方へ湾曲するように伸ばす湾曲棒７０が連結され、また、湾曲棒７０の上方に、円弧状に背中支持板８０が設けられ、腱伸ばしをする時、背中支持板８０の高い位置に座って、膝を曲がって足を縦棒６０に位置付け、そして、体を背中支持板８０に倒れて、体の腱伸ばしをできる。
【０００４】
このような腱伸ばしは、体の筋肉をリラックスすることができるが、下半身に対しては、効果が、余りないため、より完全な腱伸ばしをする場合、他の運動により腱伸ばしをする必要がある。
【考案の開示】
【考案が解決しようとする課題】
【０００５】
本考案は、腱伸ばし運動器材構造改良を提供する。
【課題を解決するための手段】
【０００６】
本考案は、運動者の足の長さに合わせるための伸縮足置きセットが設置され、これにより、運動者が、足首部位を、脱落することなく、足位置付け部に固定でき、また、運動者が、座り角度制御器で背中角度調整スタンドを傾斜させると、足端が、伸縮足置きセットの先端にある足位置付け部に固定されるため、背中角度調整スタンドの傾斜による移動することなく、足部と体に対して、共に腱伸ばしの効果が得られ、全身に対して、より有効且つ均一に、腱伸ばしをできる腱伸ばし運動器材構造改良である。
【考案を実施するための最良の形態】
【０００７】
図１、２のように、固定フレーム１０と座りパッド２０、背中角度調整スタンド３０、座り角度制御器４０及び伸縮足置きセット５０が含有され、固定フレーム１０は、下方に、レール１１が設けられ、レール１１の上に、ストッパー１２が設けられ、また、固定フレーム１０は、上方において、両側に手摺り１３があり、座りパッド２０が、やや二つの手摺り１３の中間に位置するように、固定フレーム１０に結合され、背中角度調整スタンド３０は、座りパッド２０の後方に設置され、座りパッド２０の後方において、角度を変化することができ、座り角度制御器４０は、背中角度調整スタンド３０と固定フレーム１０との間に結合され、手動や電動により、背中角度調整スタンド３０の角度を調整して変化させることができ、伸縮足置きセット５０は、固定フレーム１０のレール１１上に位置するレール５１があり、前方に、足位置付け部５２が設けられ、足位置付け部５２は、Ｔ形状に設置され、また、伸縮足置きセット５０の底部に、滑車５３が設けられ、また、足位置付け部５２の横棒に、海綿状プラスチック層５４が覆われる。
【０００８】
構造の組立てについて、伸縮足置きセット５０は、レール５１が、固定フレーム１０のレール１１に合わせて結合され、そのため、固定フレーム１０前方において、伸縮のように調整でき、希望の位置に調整されると、ストッパー１２により、固定されて定位される。
【０００９】
使用する時、図３、４のように、伸縮足置きセット５０は、運動者の足の長さに合わせて、固定フレーム１０からの長さが調整され、運動者的足部が、足位置付け部５２の下方を通してフックするように定位され、また、運動者は、座りパッド２０を座って、背中が、背中角度調整スタンド３０に抵当し、座り角度制御器４０により、背中角度調整スタンド３０が傾斜すると、座っている運動者の背中が、それに連動して、腱伸ばしの効果が得られ、また、運動者の足端が、所定の位置に定位するように、伸縮足置きセット５０の先端にある足位置付け部５２に位置付けられるため、背中角度調整スタンド３０の後方へ傾斜すると共に移動することがなく、これにより、全身の腱伸ばしの効果が得られる。
【００１０】
また、図１を参照しながら、伸縮足置きセット５０の先端にある足位置付け部５２は、Ｔ形状に設置され、または、図５のように、冂形状に設置され、また、足がフックするための横棒部位に海綿状プラスチック層５４が覆われる。
【００１１】
上記の具体的な実施例の構造によれば、以下の効果が得られ、座りパッド２０と背中角度調整スタンド３０とが設置される固定フレーム１０は、前方に、運動者足の長さに合わせるための伸縮足置きセット５０が設置され、これにより、運動者の足首部位が、脱落しないように、足位置付け部５２に固定され、運動者により、座り角度制御器４０で背中角度調整スタンド３０を傾斜させる時、足端が、伸縮足置きセット５０の先端にある足位置付け部５２によって制限されるため、背中角度調整スタンド３０の傾斜に連動して移動することがなく、これにより、足部と身体部位に対して、腱伸ばしの効果が得られ、そのため、全身に対する腱伸ばしの効果が、より良い且つより均一である。
【図面の簡単な説明】
【００１２】
【図１】本考案の立体組立て図
【図２】本考案の立体分解図
【図３】本考案の調整動作の概念図
【図４】本考案の使用状態の参考図
【図５】本考案の他の実施例の立体組立て図
【図６】従来の構造立体図
【符号の説明】
【００１３】
従来の部分
６０          縦棒
７０          湾曲棒
８０          背中支持板
本考案部分
１０          固定フレーム
１１          レール
１２          ストッパー
１３          手摺り
２０          座りパッド
３０          背中角度調整スタンド
４０          座り角度制御器
５０          伸縮足置きセット
５１          レール
５２          足位置付け部
５３          滑車
５４          海綿状プラスチック層
【図１】
0003120463.tif 000003
【図２】
0003120463.tif 000004
【図３】
0003120463.tif 000005
【図４】
0003120463.tif 000006
【図５】
0003120463.tif 000007
【図６】
0003120463.tif 000008